(57)【要約】【課題】包装対象物に対する圧力分散性に優れ、取り扱いが容易で、しかも種々の包装対象物に適用可能な緩衝作用のあるシートとして使用でき、かつ、他の様々な用途にも使用可能な伸張シートを提供する。【解決手段】平坦な基材１ａに複数の切り込みＣを設けることにより、二次元的に配置された複数の迂回路Ｒと２以上の迂回路Ｒの端部が合流する複数の分岐部Ｐが形成され、各々の迂回路Ｒを経由するその最短経路の長さは、該迂回路Ｒの両端部間の直線距離よりも長くされており、各迂回路Ｒと隣接する迂回路Ｒとの間は、切り込みＣにより切断されて離間可能とされており、迂回路Ｒによって直接連結されている分岐部Ｐが３つ以上存在する分岐部Ｐ同士を直接連結する迂回路Ｒで結んでいくと、網が形成される伸張シート。【選択図】図１
2019172379.tif 000002
【特許請求の範囲】
【請求項１】
平坦な基材に複数の切り込みが形成された伸張シートであって、
前記切り込みは、単一の連結点を基端として放射状に形成された４つ以上の切り込みからなる風車状の切り込みパターンの組み合わせを有し、
前記４つ以上の切り込みの各々は、いずれも前記連結点から放射状に伸び出た先端側が曲がり、かつ、いずれも他の風車状の切り込みパターンにおける切り込み同士の間に挿入されるように位置しており、
前記切り込みにより、二次元的に配置された複数の迂回路と複数の分岐部が形成され、
前記迂回路は、前記切り込みで切断されることなく連続する領域によって形成された第１の端部と第２の端部を持つ道であり、
前記各々の迂回路を経由して各々の第１の端部から第２の端部に至る最短経路の長さは、該第１の端部と第２の端部間の直線距離よりも長くされており、
各迂回路と隣接する迂回路との間は、前記切り込みにより切断されて離間可能とされており、
前記分岐部は、２以上の前記迂回路の端部が合流する部分であり、
前記複数の分岐部は、以下の条件αを満たす分岐部同士を直接連結する迂回路で結んでいくと、網が形成されるように配置されていることを特徴とする伸張シート。
（条件α）
当該１つの分岐部に対して前記迂回路により直接連結されている分岐部が３つ以上存在する。
【請求項２】
さらに、枠部を有し、
前記複数の迂回路と分岐部の全体が、前記枠部の内側に配置されている請求項１に記載の伸張シート。
【請求項３】
前記基材が非伸縮性である請求項１または２に記載の伸張シート。
【請求項４】
空洞を囲む基板で形成された収納容器であって、前記基板の一部が、請求項１〜３の何れか一項に記載の伸張シートであることを特徴とする収納容器。
【発明の詳細な説明】
【技術分野】
【０００１】
本発明は、生鮮食品や割れ物等の包装材などとして使用可能な伸張シート、及び該伸張シートを利用した収納容器に関する。
【背景技術】
【０００２】
果実、野菜等の生鮮食品や、瀬戸物、ガラス等の割れやすい製品の包装には、緩衝材が使用されている。
緩衝材としては、シート状の弾性部材（非特許文献１）、プラスチックフィルム、細かくカットされた紙（非特許文献２）、木毛、チップ状のプラスチック材等が用いられている。また、予め包装対象物の形状に成形した発泡プラスチック等の緩衝材も用いられている。
【先行技術文献】
【非特許文献】
【０００３】
【非特許文献１】株式会社ホリコー  ホームページ“緩衝材  緩衝材パット”、［online］、［平成２７年１月２７日検索］、インターネット<http://www.horiko.jp/shop/wm/mc_005/nova_p.php．>
【非特許文献２】株式会社オーセロ  ホームページ“パッキン＞紙系パッキン”、［online］、［平成２７年１月２７日検索］、インターネット<http://www.o-cello.co.jp/products/standard/packing/kamitype/kapa11K.html>
【発明の概要】
【発明が解決しようとする課題】
【０００４】
非特許文献１のようなシート状の緩衝材は取扱いが容易であるが、包装対象物の下面側のみを支えることになる。そのため、圧力分散性に劣り、果実等の加圧による劣化を充分に防止し難いものであった。また、プラスチックフィルムは、包装対象物を挟み込んで使用する場合は包装対象物に圧を与えやすく、包装対象物を挟み込まずに使用する場合は、包装対象物を充分に固定できず、いずれの場合にも、包装対象物の保護に欠ける場合があった。
【０００５】
一方、細かくカットされた紙、木毛、チップ状のプラスチック材等は、包装対象物の隙間を埋めるように充填できる。そのため、圧力分散性に優れ、包装対象物を保護しやすい。しかしながら、細かいために散らばりやすく、廃棄時等の取り扱いが煩雑である。また、嵩張ることから保管場所をとり、廃棄量も嵩むものであった。
また、予め包装対象物の形状に成形した発泡プラスチック等の緩衝材は、同じ形状のものが多数存在する規格品の包装には適しているが、果実、野菜等、形状が一定しない包装対象物には使用し難い。
【０００６】
本発明の目的は、包装対象物に対する圧力分散性に優れ、取り扱いが容易で、しかも種々の包装対象物に適用可能な緩衝作用のあるシートとして使用でき、かつ、他の様々な用途にも使用可能な伸張シート、及び該伸張シートを利用した収納容器を提供することにある。
【課題を解決するための手段】
【０００７】
上記の課題を達成するために、本発明は以下の構成を採用した。
［１］  平坦な基材に複数の切り込みが形成された伸張シートであって、
前記切り込みにより、二次元的に配置された複数の迂回路と複数の分岐部が形成され、
前記迂回路は、前記切り込みで切断されることなく連続する領域によって形成された第１の端部と第２の端部を持つ道であり、
前記各々の迂回路を経由して各々の第１の端部から第２の端部に至る最短経路の長さは、該第１の端部と第２の端部間の直線距離よりも長くされており、
各迂回路と隣接する迂回路との間は、前記切り込みにより切断されて離間可能とされており、
前記分岐部は、２以上の前記迂回路の端部が合流する部分であり、
前記複数の分岐部は、以下の条件αを満たす分岐部同士を直接連結する迂回路で結んでいくと、網が形成されるように配置されていることを特徴とする伸張シート。
（条件α）
当該１つの分岐部に対して前記迂回路により直接連結されている分岐部が３つ以上存在する。
［２］  さらに、枠部を有し、
前記複数の迂回路と分岐部の全体が、前記枠部の内側に配置されている［１］に記載の伸張シート。
［３］  前記基材が非伸縮性である［１］または［２］に記載の伸張シート。
［４］  空洞を囲む基板で形成された収納容器であって、前記基板の一部が、［１］〜［３］の何れかに記載の伸張シートであることを特徴とする収納容器。
【発明の効果】
【０００８】
本発明の伸張シートは、包装対象物に対する圧力分散性に優れ、取り扱いが容易で、しかも種々の包装対象物に適用可能な緩衝作用のあるシートとして使用でき、かつ、他の様々な用途にも使用可能である。また、本発明の収納容器は、包装対象物に対する圧力分散性に優れ、取り扱いが容易で、しかも種々の包装対象物に適用可能である。
【図面の簡単な説明】
【０００９】
【図１】本発明の第１の実施形態に係る伸張シートである。
【図２】本発明の第１の実施形態に係る伸張シートの変形例である。
【図３】第１の実施形態及びその変形例に係る伸張シートの一部拡大図である。
【図４】本発明の第２の実施形態に係る伸張シートである。
【図５】第２の実施形態に係る伸張シートの一部拡大図である。
【図６】本発明の第３の実施形態に係る伸張シートである。
【図７】第３の実施形態に係る伸張シートの一部拡大図である。
【図８】本発明の第４の実施形態に係る伸張シートである。
【図９】第４の実施形態に係る伸張シートの一部拡大図である。
【図１０】本発明の第５の実施形態に係る伸張シートである。
【図１１】第５の実施形態に係る伸張シートの一部拡大図である。
【図１２】本発明の第６の実施形態に係る伸張シートである。
【図１３】第６の実施形態に係る伸張シートの一部拡大図である。
【図１４】本発明の第７の実施形態に係る伸張シートの一部拡大図である。
【図１５】本発明の第８の実施形態に係る伸張シートの一部拡大図である。
【図１６】本発明の第９の実施形態に係る伸張シートの一部拡大図である。
【図１７】本発明の第１０の実施形態に係る伸張シートの一部拡大図である。
【図１８】本発明の実施形態に係る収納容器の斜視図である。
【図１９】本発明の実施形態に係る収納容器の使用状態における平面図である。
【図２０】本発明の実施形態に係る収納容器の使用状態における縦断面図である。
【図２１】本発明の実施形態に係る収納容器の使用状態における斜視図である。
【図２２】本発明の実施形態に係る収納容器の使用態様を示す図である。
【図２３】本発明の伸張シートの、包装材としての使用態様を示す図である。
【図２４】本発明の伸張シートの、たわしとしての使用態様を示す図である。
【図２５】本発明の伸張シートの、収納ポーチとしての使用態様を示す図である。
【図２６】本発明の切り込みの一態様を示す図である。
【発明を実施するための形態】
【００１０】
＜伸張シート＞
本発明の伸張シートは、平坦な基材に複数の切り込みが形成されることにより構成されており、その複数の切り込みによって、二次元的に配置された複数の迂回路と複数の分岐部が形成されている。
【００１１】
基材は平坦であれば、特にその材質を問わないが、切り込みの幅を容易に拡張できるように可撓性を備えることが好ましい。
なお、平坦とは、マクロ的な意味で平坦であることを意味し、例えば、基材の表面に細かい凹凸が付されていたり、表面が粗面化されていたりすることは差し支えない。
【００１２】
基材は、本発明の効果を享受する利益が大きいことから、非伸縮性であることが好ましい。伸縮性の素材であれば、特に切り込みを設けることなく、任意に伸張できるからである。また、伸縮性の素材の場合、素材に加わる力により無制限に延びてしまう傾向があるが、非伸縮性の基材であれば、最短経路の長さによって伸張の程度が制限される。そのため、非伸縮性の基材の場合、伸張の程度をコントロールしやすい。
基材には、例えば、紙、合成紙、プラスチックフィルム、織布、不織布、金属薄膜等が使用できる。具体的な基材の材質、厚み、強度等は、その用途に応じて適宜選択すればよい。
【００１３】
切り込みは直線状でも曲線状でもよい。また、１つの切り込みは、他の切り込みと交差してもよく、他の切り込みの途中に合流していてもよい。
二次元的に配置された複数の迂回路と複数の分岐部を、以下に説明する条件を満たすように形成できる限り、種々の切り込みのパターンが採用できる。
切り込みは、その幅を無視できる程度の線状の切り込みに限定されず、紡錘状、楕円状三日月状、矩形状、円などであってもよい。ただし、伸張させた際の基材破壊を防ぐ観点から、切り込みの幅は無視できる程度に小さいことが好ましく、例えば、矩形状の切り込みは好ましくない。また、伸張させた際の基材破壊を防ぐ観点から、切り込みの終端には、円形又は楕円形の終端部を設けてもよい。また、切り込みにおける終端部に繋がる部分を、終端部に向けて広がるテーパー状とし、当該テーパー部と終端部とが、全体として液摘状の形状となるようにしてもよい。
【００１４】
図２６に、切り込みＣの終端に終端部Ｃｘを設けた例を示す。終端部Ｃｘの直径ｒ（楕円の場合は短径、以下同じ）は、終端部Ｃｘ以外の切り込みＣの幅よりも大きいことが好ましい。直径が大きい程、伸張させた際の終端部Ｃｘを起点とする基材破壊を防ぐ効果が大きい。但し、大きすぎると、終端部Ｃｘと他の切り込みＣとの距離ｄ（例えば図２６における距離ｄ１〜ｄ３）が近くなりすぎ、当該部分の迂回路の強度が低下するので好ましくない。
基材の厚みや強度にもよるが、例えば厚み０．１３ｍｍ程度の不織布からなる基材の場合、終端部Ｃｘの直径ｒは、０．２〜３ｍｍが好ましく、０．５〜２ｍｍがより好ましく、０．８〜１．５ｍｍがさらに好ましい。また、距離ｄは、１．４ｍｍ以上が好ましく、２ｍｍ以上がより好ましく、２．５ｍｍ以上がさらに好ましい。
【００１５】
本発明における迂回路とは、切り込みで切断されることなく連続する領域によって形成された第１の端部と第２の端部を持つ道である。各々の迂回路を経由して各々の第１の端部から第２の端部に至る最短経路の長さは、該第１の端部と第２の端部間の直線距離よりも長い。なお、本発明において直線距離とは、切り込みの幅を拡張していない、当初の平坦な基材面における直線距離を意味する。
【００１６】
各迂回路と隣接する迂回路との間は、前記切り込みにより切断されている。そのため、当該切り込みの幅を拡張することにより、隣接する迂回路の間が離間可能とされている。なお、もともと無視できない幅のある切り込みの場合、隣接する迂回路の間が離間するとは、隣接する迂回路の間が当初の切り込みの幅よりも大きくなることを意味する。
【００１７】
各迂回路の第１の端部と第２の端部には、原則として分岐部が存在する。本発明における分岐部とは、２以上の迂回路の第１または第２の端部が合流する部分である。
分岐部はある程度の面積を有する領域であるが、便宜上、面積を無視できる点として捉えてもよい。切り込みは、分岐部の内部にも形成されていてもよい。
【００１８】
分岐部Ｐｘと分岐部Ｐｙとが１つの迂回路Ｒｘにより連結され、さらに分岐部Ｐｙと分岐部Ｐｚとが別の迂回路Ｒｙにより連結されている場合、分岐部Ｐｙが、迂回路Ｒｘと迂回路Ｒｙの端部が合流する部分である。
一つの分岐部で合流する迂回路の端部の数は２以上であれば特に限定はないが、切り込みの設けやすさ等の観点から、８以下であることが好ましく６以下であることがより好ましい。
【００１９】
前述の分岐部Ｐｘと分岐部Ｐｙとは、１つの迂回路Ｒｘにより連結されている。その場合、これら一対の分岐部は、迂回路により直接連結されているという。前述の分岐部Ｐｘと分岐部Ｐｚとは、迂回路Ｒｘと迂回路Ｒｙにより連結されているが、その場合、これら一対の分岐部は、間接的に連結されているのであって、直接連結されているとは言わない。なお、以下の説明において、単に「連結」といった場合には、特に断りのない限り、直接の連結を意味する。
【００２０】
後述の枠部が存在する態様では、その枠部に近い部分において、第１の端部に分岐部が存在し第２の端部に枠部が存在するような迂回路もある。この場合、分岐部と枠部が連結されているという。
また、後述の枠部が存在しない態様においては、その周縁部分において、第１の端部に分岐部が存在し、第２の端部は伸張シートの周縁に至るような迂回路もある。
【００２１】
迂回路により連結されている分岐部間の迂回路を経由する最短経路の長さ（以下、「最短距離」という場合がある。）は、分岐部間の直線距離（本発明において、切り込みの幅を拡張していない、当初の平坦な基材面における直線距離を意味する。）よりも長い。すなわち、基材における迂回路によって連結されている分岐部間には、その間を直線で結ぶ経路（以下、「直線経路」という場合がある。）を少なくとも１箇所以上で切断するように切り込みが設けられている。
【００２２】
直線経路を切断する切り込みの幅が拡張されることにより、その直線形路の両端の分岐部間の距離（以下、切り込みの幅が拡張されることにより大きくなった分岐部間の距離を「伸張距離」という場合がある。）が大きくなる。伸張距離が、最短距離を超えることはない。
基材の厚みを無視すれば、最短距離が伸張距離の最大値となる。その場合、各分岐部間の最大の伸び率（最大の伸張距離／直線距離）は、最短距離／直線距離となる。
【００２３】
各分岐部は、原則として以下の条件αを満たす。周縁に近い部分では、迂回路によって他の２つの分岐部としか連結されておらず、下記条件αを満たさない分岐部も存在する。
条件αを満たす分岐部が連結する分岐部の数は、３以上であれば特に限定はないが、切り込みの設けやすさ等の観点から、８以下であることが好ましく６以下であることがより好ましい。
（条件α）
当該１つの分岐部に対して前記迂回路により直接連結されている分岐部が３つ以上存在する。
【００２４】
複数の分岐部は、条件αを満たす分岐部同士を直接連結する迂回路で結んでいくと、網が形成されるように配置されている。網を形成するためには、条件αを満たす分岐部同士を連結する迂回路で結んだとき、網の目となる環を形成することが必要である。環を形成するためには、３つ以上の分岐部が必要である。
１つの網の目を形成する分岐部の数は、３以上であれば特に限定はないが、切り込みの設けやすさ等の観点から、１０以下であることが好ましく８以下であることがより好ましく、６以下であることがさらに好ましい。
１つの網の目を形成する分岐部の各々が条件αを満たすことにより、網の目が二次元的に広がった網を形成することができる。
【００２５】
本発明の伸張シートは伸張可能な網として機能する。ゴムひもで形成された網に例えれば、迂回路がゴムひもにあたり、分岐部がゴムひもの交点にあたる。１つの分岐部は、迂回路により連結されている３つ以上の分岐部により支持されているので、その位置が安定している。
各分岐部間の伸張の程度は、各迂回路に加えられる応力に応じて、各迂回路を画する各切り込みの幅の拡張の程度が変化することにより調整される。
【００２６】
１つの分岐部の位置は、当初の基材における位置から、３次元の任意の方向に変化させることが可能である。その際、迂回路で連結されている他の分岐部の位置と共に変化させることもできるし、連結されている他の分岐部の位置を変化させることなくその１つの分岐部の位置のみを変化させることもできる。
また、１つの分岐部の位置を固定したまま、その分岐部に迂回路で連結されている他の分岐部の位置を、個別に調整することもできる。
【００２７】
本発明の伸張シートは、さらに、枠部を有していてもよい。その場合、複数の迂回路と分岐部の全体が、前記枠部の内側に配置されている。枠部には、枠部の周縁の形状を保持可能な範囲で、また、新たな迂回路や分岐部を形成しない範囲で切り込みが形成されていてもよい。枠部の周縁の形状に特に限定はなく、矩形、矩形以外の多角形、円形、楕円形等とすることができる。
本発明の伸張シートは、枠部を変形させることなく、枠部の内側を、枠部の存在する平面から離れるように伸張させることができる。そのため、本発明の収納容器を構成する基板のように、全体の形状と面積を一定させておきたい用途に使用しやすい。
【００２８】
本発明の伸張シートは、枠部を有していなくてもよい。その場合、複数の切り込みの幅を拡張することにより、平面視における伸張シート全体の形状を変形させたり、周縁で囲まれる面積を拡張したりすることも含めて、三次元的に変形させることができる。そのため、後述の包装材のような用途に適用できる。
【００２９】
本発明の伸張シートの製造方法に特に限定はないが、基材を所定のパターンで打ち抜き加工することが好ましい。打ち抜きの装置としては、平板型の打ち抜き装置の他、ローラー型の打ち抜き装置を用いてもよい。
また、基材をレーザー加工することにより、製造してもよい。
【００３０】
以下、各実施形態に基づき、本発明の伸張シートについて詳述する。なお、以下の説明においては、便宜上、図示に基づいて上下、左右、縦横、斜め等の説明を行う場合があるが、伸張シートの切り込みパターン全体の方向に特に限定はなく、例えば、図示上の上下を左右に、左右を上下としてもよいし、図示上の位置から、４５°回転させた切り込みパターンとしてもよい。
【００３１】
［第１実施形態の伸張シート］
図１は、本発明の第１実施形態に係る伸張シート１Ａである。伸張シート１Ａは、平坦な基材１ａに切り込みＣが複数形成されている。また、切り込みＣによって、二次元的に配置された複数の迂回路Ｒと分岐部Ｐが形成されている。また、基材１ａの周縁部は、枠部Ｆとされ、当該枠部の内側に切り込みＣが形成されている。
【００３２】
なお、迂回路Ｒの内、迂回路Ｒαは第１の端部と第２の端部の双方に分岐部Ｐが存在する。迂回路Ｒβは第１の端部と第２の端部の一方に分岐部Ｐが存在するが、他方は枠部Ｆである。また、分岐部Ｐの内、分岐部Ｐαは条件αを満たす。一方、分岐部Ｐβ１と分岐部Ｐβ２は条件αを満たさない。分岐部Ｐβ１に対して迂回路Ｒにより直接連結されている分岐部は１つのみである。分岐部Ｐβ２に対して迂回路Ｒにより直接連結されている分岐部は２つである。
【００３３】
図２は、本発明の第１実施形態の変形例に係る伸張シート１Ｂである。伸張シート１Ｂは、平坦な基材１ｂに切り込みＣが複数形成されている。伸張シート１Ｂには枠部がなく、切り込みＣは、基材１ｂの周縁部まで含めた全体に形成されている。また、切り込みＣによって、二次元的に配置された複数の迂回路Ｒと分岐部Ｐが形成されている。
【００３４】
なお、迂回路Ｒの内、迂回路Ｒαは第１の端部と第２の端部の双方に分岐部Ｐが存在する。迂回路Ｒβは第１の端部と第２の端部の一方に分岐部Ｐが存在するが、他方は伸張シート１Ｂの周縁に至っている。また、分岐部Ｐの内、分岐部Ｐαは条件αを満たす。一方、分岐部Ｐβは条件αを満たさない。分岐部Ｐβ１に対して迂回路Ｒにより直接連結されている分岐部は１つのみである。分岐部Ｐβ２に対して迂回路Ｒにより直接連結されている分岐部は２つである。
【００３５】
図３は、伸張シート１Ａと伸張シート１Ｂの一部拡大図である。図３に基づき、第１実施形態における切り込みＣと、切り込みＣによって形成されている迂回路Ｒと分岐部Ｐについて詳述する。
本実施形態では、風車状の切り込みパターンが多数組み合わされて、全体の切り込みパターンが構成されている。各風車状の切り込みパターンは、６つの切り込みＣが単一の連結点を基端として６０°間隔で放射状に形成され、各切り込みの先端が時計方向に６０°の角度で折れ曲がった構成である。
【００３６】
図３には、連結点Ｃ１１ｘを基端とする風車状の切り込みパターンと、連結点Ｃ１２ｘを基端とする風車状の切り込みパターンと、連結点Ｃ１３ｘを基端とする風車状の切り込みパターンと、その周囲の他の切り込みを示した。
連結点Ｃ１１ｘを基端とする風車状の切り込みパターンは、切り込みＣ１１ａ〜Ｃ１１fの６つの切り込みＣから構成されている。連結点Ｃ１２ｘを基端とする風車状の切り込みパターンは、切り込みＣ１２ａ〜Ｃ１２fの６つの切り込みＣから構成されている。連結点Ｃ１３ｘを基端とする風車状の切り込みパターンは、切り込みＣ１３ａ〜Ｃ１３fの６つの切り込みＣから構成されている。
【００３７】
図３に示すように、各風車状の切り込みパターンは、各風車状の切り込みパターンにおける１つの切り込みが、他の風車状の切り込みパターンにおける一対の切り込みの間に挿入されるように配置されている。例えば、切り込みＣ１１ａと切り込みＣ１１fの間には切り込みＣ１２ｄが挿入され、切り込みＣ１１ａと切り込みＣ１１ｂの間には切り込みＣ１３ｅが挿入されている。
【００３８】
また、３つの各風車状の切り込みパターンは、各風車状の切り込みパターンにおける１つの切り込みの折れ曲がった先端側が、正三角形の各辺に沿うように、互いに離間して形成されている。例えば、切り込みＣ１１ａ、Ｃ１２ｃ、Ｃ１３ｅの各々の折れ曲がった先端側が正三角形の各辺に沿うように互いに離間して形成されている。
【００３９】
そして、このような３つの切り込みＣで断続的に囲まれた正三角形の内側が本実施形態の分岐部Ｐとなっている。図３には、正三角形の内側に形成された分岐部Ｐとして、正三角形の重心に位置する点状の分岐部Ｐを示した。具体的には、切り込みＣ１１ａ、Ｃ１２ｃ、Ｃ１３ｅの各々の折れ曲がった先端側で断続的に囲まれた正三角形の重心に位置する分岐部Ｐとして分岐部Ｐ１０を示した。また、分岐部Ｐ１０を取り囲む位置に形成された分岐部Ｐ１１〜Ｐ１３と、分岐部Ｐ１１〜Ｐ１３のさらに外側に形成された分岐部Ｐ１４ａ〜Ｐ１４ｉを示した。
本実施形態の分岐部Ｐは、１つの分岐部Ｐの周囲を他の３つの分岐部Ｐが、等方的かつ等距離で囲むような関係で二次元的に配置されている。
【００４０】
なお、本実施形態の分岐部Ｐは、前記正三角形内側の、ある程度面積のある領域として捉えてもよい。例えば、分岐部Ｐ１４ｅ’のように、前記正三角形の重心を中心とする円状の分岐部Ｐとして捉えてもよい。また、分岐部Ｐ１４ｆ’のように、前記正三角形の重心を中心とする正三角形状の分岐部Ｐとして捉えてもよい。
【００４１】
各分岐部Ｐ間は、切り込みによって形成された迂回路Ｒにより連結されている。例えば、切り込みＣ１１ａと切り込みＣ１３ｅとで挟まれた領域、切り込みＣ１３ｅと切り込みＣ１１ｂとで挟まれた領域、及び切り込みＣ１１ｂと切り込みＣ１３ｄとで挟まれた領域が、分岐部Ｐ１０と分岐部Ｐ１１との間を連結する迂回路Ｒ１１となっている。
分岐部Ｐ１０と分岐部Ｐ１１との間の直線経路は、切り込みＣ１３ｅと切り込みＣ１１ｂにより切断されているので、迂回路Ｒ１１を経由する最短経路Ｓ１１は、切り込みＣ１３ｅの先端と切り込みＣ１１ｂの先端を経由する経路となっている。
【００４２】
同様に、切り込みＣ１２ｃと切り込みＣ１１ａとで挟まれた領域、切り込Ｃ１１ａと切り込みＣ１２ｄとで挟まれた領域、及び切り込みＣ１２ｄと切り込みＣ１１ｆとで挟まれた領域が、分岐部Ｐ１０と分岐部Ｐ１２との間を連結する迂回路Ｒ１２となっている。
また、迂回路Ｒ１２を経由する最短経路Ｓ１２は、切り込みＣ１１ａの先端と切り込みＣ１２ｄの先端を経由する経路となっている。
【００４３】
同様に、切り込みＣ１３ｅと切り込みＣ１２ｃとで挟まれた領域、切り込Ｃ１２ｃと切り込みＣ１３ｆとで挟まれた領域、及び切り込みＣ１３ｆと切り込みＣ１２ｂとで挟まれた領域が、分岐部Ｐ１０と分岐部Ｐ１３との間を連結する迂回路Ｒ１３となっている。
また、迂回路Ｒ１３を経由する最短経路Ｓ１３は、切り込みＣ１２ｃの先端と切り込みＣ１３ｆの先端を経由する経路となっている。
【００４４】
迂回路Ｒ１１と迂回路Ｒ１２との間は、切り込みＣ１１ａにより切断されて離間可能となっている。迂回路Ｒ１２と迂回路Ｒ１３との間は、切り込みＣ１２ｃにより切断されて離間可能となっている。迂回路Ｒ１３と迂回路Ｒ１１との間は、切り込みＣ１３ｅにより切断されて離間可能となっている。同様に、他の隣接する迂回路Ｒの間も切り込みＣにより切断されて離間可能となっている。
分岐部Ｐ１０に対して迂回路により直接連結されている分岐部は、分岐部Ｐ１１〜Ｐ１３の３つであり、条件αを満たしている。図３における他の分岐部Ｐも条件αを満たしている。
【００４５】
これらの分岐部同士を直接連結する迂回路で結んでいくと、六角形状の環を形成することができる。具体的には、分岐部Ｐ１０、分岐部Ｐ１３、分岐部Ｐ１４ａ、分岐部Ｐ１４ｂ、分岐部Ｐ１４ｃ、及び分岐部Ｐ１２からなる環が形成できる。また、分岐部Ｐ１０、分岐部Ｐ１１、分岐部Ｐ１４ｇ、分岐部Ｐ１４ｆ、分岐部Ｐ１４ｅ、及び分岐部Ｐ１２からなる環が形成できる。この二つの環は、分岐部Ｐ１０と分岐部Ｐ１２との間で重なり連結されている。
同様に、次々と連結される環、すなわち、網の目を形成することができる。全体としては、各六角形状の環を網の目とする網を形成するように分岐部Ｐが配置されている。
そのため、本実施形態の伸張シートは、伸張可能な網として機能させることができる。
【００４６】
［第２実施形態の伸張シート］
図４は、本発明の第２実施形態に係る伸張シート２である。伸張シート２は、平坦な基材２ａに切り込みＣが複数形成されている。また、切り込みＣによって、二次元的に配置された複数の迂回路Ｒと分岐部Ｐが形成されている。また、基材２ａの周縁部は、枠部Ｆとされ、当該枠部の内側に切り込みＣが形成されている。なお、第２実施形態は、枠部Ｆのない態様に変更してもよい。
【００４７】
図５は、伸張シート２の一部拡大図である。図５に基づき、第２実施形態における切り込みＣと、切り込みＣによって形成されている迂回路Ｒと分岐部Ｐについて説明する。
本実施形態では、同一の重心を持つ相似形の５つの正三角形を描くように、破線からなる多重三角形状の切り込みパターンが構成され、この多重三角形状の切り込みパターンが多数組み合わされて、全体の切り込みパターンが構成されている。
【００４８】
図５には、切り込みＣ２０ａ〜Ｃ２０ｅからなる多重三角形状の切り込みパターンと、切り込みＣ２２ａ〜Ｃ２２ｅからなる多重三角形状の切り込みパターンの一部と、切り込みＣ２３ａ〜Ｃ２３ｅからなる多重三角形状の切り込みパターンの一部と、その周囲の他の切り込みを示した。
【００４９】
図５に示すように、切り込みＣ２０ａ〜Ｃ２０ｅからなる多重三角形状の切り込みパターンの内、切り込みＣ２０ｅが描く最も外側の三角形の頂点が、切り込みＣ２２ａ〜Ｃ２２ｅからなる多重三角形状の切り込みパターンの重心に位置するようになっている。複数の多重三角形状の切り込みパターンが、その重心が他の多重三角形状の切り込みパターンの最も外側の三角形の頂点となるように、互いに重なり合っている。
【００５０】
そして、このような多重三角形状の切り込みパターンの重心が、本実施形態の分岐部Ｐとなっている。図５には、切り込みＣ２０ａ〜Ｃ２０ｅからなる多重三角形状の切り込みパターンの重心に位置する分岐部Ｐ２０を示した。また、この分岐部Ｐ２０を取り囲む位置に形成された分岐部Ｐ２１〜Ｐ２６を示した。
本実施形態の分岐部Ｐは、１つの分岐部Ｐの周囲を他の６つの分岐部Ｐが、等方的かつ等距離で囲むような関係で二次元的に配置されている。
なお、本実施形態の分岐部Ｐも、多重三角形状の切り込みパターンの重心近傍における切り込みを含まない範囲を分岐部Ｐと扱ってもよい。例えば、多重三角形状の切り込みパターンの重心を中心とする円状の分岐部Ｐ（図示は省略）として捉えてもよい。
【００５１】
各分岐部Ｐ間は、切り込みＣによって形成された迂回路Ｒにより連結されている。多重三角形状の切り込みパターンを構成する相似形の各三角形の間が迂回路Ｒとなっている。また、各三角形を構成する破線状の切り込みの破断位置は、互い違いとされており、これにより、各三角形の間の迂回路Ｒがつながるようになっている。
【００５２】
ある多重三角形状の切り込みパターンの重心に位置する分岐部Ｐとその多重三角形状の切り込みパターンの最も外側の三角形の頂点に位置する分岐部Ｐとの間の直線経路は、当該多重三角形状の切り込みパターンにより切断されている。
そのため、この二つの分岐部Ｐ間の迂回路Ｒを経由する最短経路は、当該多重三角形状の切り込みパターンの破断位置を縫うような経路となっている。
【００５３】
例えば、分岐部Ｐ２０と分岐部Ｐ２２との間の直線経路は、切り込みＣ２０ｂ、Ｃ２０ｄにより切断されている。そのため、分岐部Ｐ２０と分岐部Ｐ２２との間の、迂回路Ｒを経由する最短経路Ｓ２２ａとＳ２２ｂは、切り込みＣ２０ａ〜Ｃ２０ｅの各々の破断した先端を経由する経路となっている。
同様に、分岐部Ｐ２０と分岐部Ｐ２４との間の迂回路Ｒを経由する最短経路Ｓ２４ａとＳ２４ｂ、並びに、分岐部Ｐ２０と分岐部Ｐ２６との間の迂回路Ｒを経由する最短経路Ｓ２６ａとＳ２６ｂも、切り込みＣ２０ａ〜Ｃ２０ｅの各々の破断した先端を経由する経路となっている。
【００５４】
一方、分岐部Ｐ２０と分岐部Ｐ２３との間の直線経路は、分岐部Ｐ２３の位置を重心とする多重三角形状の切り込みパターンである破線状の切り込みＣ２３ｂ、Ｃ２３ｄにより切断されているので、分岐部Ｐ２０と分岐部Ｐ２３との間の、迂回路Ｒを経由する最短経路Ｓ２３ａとＳ２３ｂは、切り込みＣ２３ａ〜Ｃ２３ｅの各々の破断した先端を経由する経路となっている。
同様に、分岐部Ｐ２０と分岐部Ｐ２１との間の迂回路Ｒを経由する最短経路Ｓ２１ａとＳ２１ｂ、並びに、分岐部Ｐ２０と分岐部Ｐ２５との間の迂回路Ｒを経由する最短経路Ｓ２５ａとＳ２５ｂも、分岐部Ｐ２１と分岐部Ｐ２５の各々の位置を重心とする多重三角形状の切り込みパターンで切断され、これらの切り込みＣの各々の破断した先端を経由する経路となっている。
【００５５】
最短経路Ｓ２２ｂが経由する迂回路Ｒと、最短経路Ｓ２３ａが経由する迂回路Ｒとの間は、切り込みＣ２３ｅにより切断されて離間可能となっている。最短経路Ｓ２３ｂが経由する迂回路Ｒと、最短経路Ｓ２４ａが経由する迂回路Ｒとの間も、切り込みＣ２３ｅにより切断されて離間可能となっている。同様に、他の隣接する迂回路Ｒの間も切り込みＣにより切断されて離間可能となっている。
分岐部Ｐ２０に対して迂回路により直接連結されている分岐部は、分岐部Ｐ２１〜Ｐ２６の６つであり、条件αを満たしている。図５における他の分岐部Ｐも条件αを満たしている。
【００５６】
これらの分岐部同士を直接連結する迂回路で結んでいくと、三角形状の環を形成することができる。具体的には、分岐部Ｐ２０、分岐部Ｐ２１、及び分岐部Ｐ２６からなる環が形成できる。また、分岐部Ｐ２０、分岐部Ｐ２１、及び分岐部Ｐ２２からなる環が形成できる。この二つの環は、分岐部Ｐ２０と分岐部Ｐ２２との間で重なり連結されている。
同様に、次々と連結される環、すなわち、網の目を形成することができる。全体としては、各三角形状の環を網の目とする網を形成するように分岐部Ｐが配置されている。
そのため、本実施形態の伸張シートは、伸張可能な網として機能させることができる。
【００５７】
［第３実施形態の伸張シート］
図６は、本発明の第３実施形態に係る伸張シート３である。伸張シート３は、平坦な基材３ａに切り込みＣが複数形成されている。また、切り込みＣによって、二次元的に配置された複数の迂回路Ｒと分岐部Ｐが形成されている。また、基材３ａの周縁部は、枠部Ｆとされ、当該枠部の内側に切り込みＣが形成されている。なお、第３実施形態は、枠部Ｆのない態様に変更してもよい。
【００５８】
図７は、伸張シート３の一部拡大図である。図７に基づき、第３実施形態における切り込みＣと、切り込みＣによって形成されている迂回路Ｒと分岐部Ｐについて説明する。
本実施形態では、破線からなる斜め格子状の切り込みパターンと、破線からなる縦横格子状の切り込みパターンと、縦横格子状の切り込みパターンの各格子と同一の重心を持つ相似形の３つの正方形を描くように、破線からなる多重四角形状の切り込みパターンが構成され、これらが組み合わされて、全体の切り込みパターンが構成されている。
【００５９】
図７に示すように、斜め格子状の切り込みパターンは、平行かつ等間隔で形成された右下がりの複数の切り込みＣ３１ａと、平行かつ等間隔で形成された右上がりの複数の切り込みＣ３１ｂとで構成されている。切り込みＣ３１ａと切り込みＣ３１ｂとは、各々の破断箇所と破断箇所の中点において、９０°の角度で交差している。
【００６０】
縦横格子状の切り込みパターンは、平行かつ等間隔で形成された横方向の複数の切り込みＣ３２ａと、平行かつ等間隔で形成された縦方向の複数の切り込みＣ３２ｂとで構成されている。切り込みＣ３１ａと切り込みＣ３１ｂとは、各々斜め格子状の切り込みパターンと４５°の角度で交差する方向に形成されている。また、切り込みＣ３１ａと切り込みＣ３１ｂの破断位置は、斜め格子状の切り込みパターンの交差箇所を挟む位置とされている。
【００６１】
多重四角形状の切り込みパターンは、縦横格子状の切り込みパターンの各格子に近い大きさのものから順に、切り込みＣ３３ａ、切り込みＣ３３ｂ、切り込みＣ３３ｃが形成されている。いずれも破線からなり、各格子と同じ重心をもつ正方形を描くように形成されている。
【００６２】
そして、このような多重四角形状の切り込みパターンの重心であり、かつ縦横格子状の切り込みパターンの破断箇所である位置が、本実施形態の分岐部Ｐとなっている。図７には、図示中央の多重四角形状の切り込みパターンの重心に位置する分岐部Ｐ３０を示した。また、この分岐部Ｐ３０の縦横の位置に形成された分岐部Ｐ３１〜Ｐ３４と、斜めの位置に形成された分岐部Ｐ３５〜Ｐ３８とを示した。
【００６３】
本実施形態の分岐部Ｐは、１つの分岐部Ｐの周囲を他の９つの分岐部Ｐが、縦横または斜めの方向から囲む関係で二次元的に配置されている。
なお、本実施形態の分岐部Ｐも、斜め格子状の切り込みパターンを含まない範囲（破断箇所範囲）を分岐部Ｐと扱ってもよい。例えば、斜め格子状の切り込みパターンの破断箇所をつなぐ正方形状の分岐部Ｐ３７ａを捉えてもよいし、多重四角形状の切り込みパターンの重心を中心として、円状の分岐部Ｐ３８ａを捉えてもよい。
【００６４】
縦横に位置する各分岐部Ｐ間は、切り込みＣによって形成された迂回路Ｒにより連結されている。縦横格子状の切り込みパターンと多重四角形状の切り込みパターンを構成する外側の四角形との間、及び多重四角形状の切り込みパターンを構成する各四角形の間が迂回路Ｒとなっている。また、縦横格子状の切り込みパターンと、各四角形を構成する破線状の切り込みの破断位置は、互い違いとされており、これにより、縦横に位置する各分岐部Ｐ間の迂回路Ｒがつながるようになっている。
【００６５】
縦横に位置する各分岐部Ｐ間の直線経路は、縦横格子状の切り込みパターンと、多重四角形状の切り込みパターンにより切断されている。そのため、この二つの分岐部Ｐ間の迂回路Ｒを経由する最短経路は、これらの切り込みパターンの破断位置を縫うような経路となっている。
【００６６】
例えば、分岐部Ｐ３０と分岐部Ｐ３１との間の直線経路は、切り込みＣ３３ｂと、Ｃ３３ｂと、これらの間に形成された横方向の切り込みＣ３２ａにより切断されている。そのため、分岐部Ｐ３０と分岐部Ｐ３１との間の、迂回路Ｒを経由する最短経路Ｓ３１ａ、Ｓ３１ｂは、分岐部Ｐ３０を重心とする多重四角形状の切り込みＣ３３ａ〜Ｃ３３ｃと、分岐部Ｐ３１を重心とする多重四角形状の切り込みＣ３３ａ〜Ｃ３３ｃと、これらの間に形成された横方向の切り込みＣ３２ａの各々の破断した先端を経由する経路となっている。
【００６７】
同様に、分岐部Ｐ３０と分岐部Ｐ３２との間の迂回路Ｒを経由する最短経路Ｓ３２ａ、Ｓ３２ｂと、分岐部Ｐ３０と分岐部Ｐ３３との間の迂回路Ｒを経由する最短経路Ｓ３３ａ、Ｓ３３ｂと、分岐部Ｐ３０と分岐部Ｐ３４との間の迂回路Ｒを経由する最短経路Ｓ３４ａ、Ｓ３４ｂも、連結する各分岐部Ｐを重心とする多重四角形状の切り込みと、これらの間に形成された縦または横方向の切り込みの破断した先端を経由する経路となっている。
【００６８】
最短経路Ｓ３１ｂが経由する迂回路Ｒと、最短経路Ｓ３２ａが経由する迂回路Ｒとの間は、切り込みＣ３１ｂにより切断されて離間可能となっている。最短経路Ｓ３２ｂが経由する迂回路Ｒと、最短経路Ｓ３３ａが経由する迂回路Ｒとの間は、切り込みＣ３１ａにより切断されて離間可能となっている。同様に、他の隣接する迂回路Ｒの間も切り込みＣにより切断されて離間可能となっている。
分岐部Ｐ３０に対して迂回路により直接連結されている分岐部は、分岐部Ｐ３１〜Ｐ３４の４つであり、条件αを満たしている。図７における他の分岐部Ｐも条件αを満たしている。
【００６９】
これらの分岐部同士を直接連結する迂回路で結んでいくと、四角形状の環を形成することができる。具体的には、分岐部Ｐ３０、分岐部Ｐ３１、分岐部Ｐ３５、及び分岐部Ｐ３４からなる環が形成できる。また、分岐部Ｐ３０、分岐部Ｐ３４、分岐部Ｐ３８、及び分岐部Ｐ３３からなる環が形成できる。この二つの環は、分岐部Ｐ３０と分岐部Ｐ３４との間で重なり連結されている。
同様に、次々と連結される環、すなわち、網の目を形成することができる。全体としては、各四角形状の環を網の目とする網を形成するように分岐部Ｐが配置されている。
そのため、本実施形態の伸張シートは、伸張可能な網として機能させることができる。
【００７０】
［第４実施形態の伸張シート］
図８は、本発明の第４実施形態に係る伸張シート４である。伸張シート４は、平坦な基材４ａに切り込みＣが複数形成されている。また、切り込みＣによって、二次元的に配置された複数の迂回路Ｒと分岐部Ｐが形成されている。また、基材４ａの周縁部は、枠部Ｆとされ、当該枠部の内側に切り込みＣが形成されている。なお、第４実施形態は、枠部Ｆのない態様に変更してもよい。
【００７１】
図９は、伸張シート４の一部拡大図である。図９に基づき、第４実施形態における切り込みＣと、切り込みＣによって形成されている迂回路Ｒと分岐部Ｐについて説明する。
本実施形態では、連結点Ｃ４１ｘにおいて、６０°の角度で切り込みＣ４１ａ、切り込みＣ４１ｂ、切り込みＣ４１ｃが交差し、斜め交差パターンを形成している。また、この斜め交差パターンと離間して、連結点Ｃ４２ｘにおいて、６０°の角度で切り込みＣ４２ａ、切り込みＣ４２ｂ、切り込みＣ４２ｃが交差し、斜め交差パターンを形成している。
また、連結点Ｃ４３ｘを交差点とする同様の斜め交差パターンが形成されている。連結点Ｃ４１ｘと連結点Ｃ４２ｘと連結点Ｃ４３ｘは、正三角形の頂点となるように配置されている。
【００７２】
また、連結点Ｃ４１ｘを交差点とする斜め交差パターンと連結点Ｃ４２ｘを交差点とする斜め交差パターンとの間には、連結点Ｃ４１ｘと連結点Ｃ４２ｘを結ぶ直線上に、これら一対の交差パターンから離間して切り込みＣ４０ａが形成されている。また、切り込みＣ４０ａの両側に切り込みＣ４０ｂと切り込みＣ４０ｃが形成されている。
【００７３】
また、切り込みＣ４１ｃの途中を基端とする切り込みＣ４１ｄと、切り込みＣ４２ｂの途中を基端とする切り込みＣ４２ｄが切り込みＣ４０ａと切り込みＣ４０ｂの間に形成されている。また、切り込みＣ４１ｂの途中を基端とする切り込みＣ４１ｅと切り込みＣ４２ｃの途中を基端とする切り込みＣ４２ｅが切り込みＣ４０ａと切り込みＣ４０ｃの間に形成されている。
また、切り込みＣ４１ｃの先端を基端とする切り込みＣ４１ｇと、切り込みＣ４２ｂの途中を基端とする切り込みＣ４２ｇが切り込みＣ４０ｂの外側に形成されている。また、切り込みＣ４１ｂの先端を基端とする切り込みＣ４１ｆと切り込みＣ４２ｃの先端を基端とする切り込みＣ４２ｆが切り込みＣ４０ｃの外側に形成されている。
【００７４】
また、連結点Ｃ４１ｘを交差点とする斜め交差パターンと連結点Ｃ４３ｘを交差点とする斜め交差パターンとの間、連結点Ｃ４２ｘを交差点とする斜め交差パターンと連結点Ｃ４３ｘを交差点とする斜め交差パターンとの間にも、同様の複数の切り込みが形成されている。
【００７５】
そして、連結点Ｃ４１ｘと連結点Ｃ４２ｘと連結点Ｃ４３ｘを頂点とする正三角形の重心が、本実施形態の分岐部Ｐ４０となっている。同様に、連結点Ｃ４１ｘと連結点Ｃ４３ｘと他の連結点を頂点とする正三角形の重心が分岐部Ｐ４１となっており、連結点Ｃ４１ｘと連結点Ｃ４２ｘと他の連結点を頂点とする正三角形の重心が分岐部Ｐ４２となっており、連結点Ｃ４２ｘと連結点Ｃ４３ｘと他の連結点を頂点とする正三角形の重心が分岐部Ｐ４３となっている。
【００７６】
本実施形態の分岐部Ｐは、１つの分岐部Ｐの周囲を他の３つの分岐部Ｐが、等方的かつ等距離で囲むような関係で二次元的に配置されている。
なお、本実施形態の分岐部Ｐも、３つの連結点を頂点とする三角形の重心近傍における切り込みを含まない範囲を分岐部Ｐと扱ってもよい。例えば、前記重心を中心とする円状の分岐部Ｐ（図示は省略）として捉えてもよい。
【００７７】
分岐部Ｐ４０と分岐部Ｐ４２との間は、切り込みＣによって形成された迂回路Ｒにより連結されている。切り込みＣ４０ａ〜Ｃ４０ｃと、切り込みＣ４１ｄ〜Ｃ４１ｇと、切り込みＣ４２ｄ〜Ｃ４２ｇとの間が迂回路Ｒとなっている。
分岐部Ｐ４０と分岐部Ｐ４２との間の直線経路は、切り込みＣ４０ａ〜Ｃ４０ｃにより切断されている。そのため、この二つの分岐部Ｐ間の迂回路Ｒを経由する最短経路Ｓ４２ａ、Ｓ４２ｂは、迂回路Ｒを形成する切り込みパターンの破断位置を縫うような経路となっている。
同様にして、分岐部Ｐ４０と分岐部Ｐ４１との間の迂回路Ｒを経由する最短経路Ｓ４１ａ、Ｓ４１ｂと、分岐部Ｐ４０と分岐部Ｐ４３との間の迂回路Ｒを経由する最短経路Ｓ４３ａ、Ｓ４３ｂが形成されている。
【００７８】
最短経路Ｓ４１ｂが経由する迂回路Ｒと、最短経路Ｓ４２ａが経由する迂回路Ｒとの間は、切り込みＣ４１ｂにより切断されて離間可能となっている。最短経路Ｓ４２ｂが経由する迂回路Ｒと、最短経路Ｓ４３ａが経由する迂回路Ｒとの間は、切り込みＣ４２ｃにより切断されて離間可能となっている。同様に、他の隣接する迂回路Ｒの間も切り込みＣにより切断されて離間可能となっている。
分岐部Ｐ４０に対して迂回路により直接連結されている分岐部は、分岐部Ｐ４１〜Ｐ４３の３つであり、条件αを満たしている。図９における他の分岐部Ｐも条件αを満たしている。
【００７９】
これらの分岐部同士を直接連結する迂回路で結んでいくと、六角形状の環を形成することができる。具体的には、図８に示すような環Ｎ４１、Ｎ４２、Ｎ４３のような環を連結して形成できる。全体としては、各六角形状の環を網の目とする網を形成するように分岐部Ｐが配置されている。
そのため、本実施形態の伸張シートは、伸張可能な網として機能させることができる。
【００８０】
［第５実施形態の伸張シート］
図１０は、本発明の第５実施形態に係る伸張シート５である。伸張シート５は、平坦な基材５ａに切り込みＣが複数形成されている。また、切り込みＣによって、二次元的に配置された複数の迂回路Ｒと分岐部Ｐが形成されている。また、基材５ａの周縁部は、枠部Ｆとされ、当該枠部の内側に切り込みＣが形成されている。なお、第５実施形態は、枠部Ｆのない態様に変更してもよい。
【００８１】
図１１は、伸張シート５の一部拡大図である。図１０に基づき、第５実施形態における切り込みＣと、切り込みＣによって形成されている迂回路Ｒと分岐部Ｐについて説明する。
本実施形態では、風車状の切り込みパターンが多数組み合わされて、全体の切り込みパターンが構成されている。各風車状の切り込みパターンは、５つの切り込みＣが単一の連結点を基端として放射状に形成され、各切り込みの先端が反時計方向に折れ曲がっているパターンである。
【００８２】
図１１には、連結点Ｃ５１ｘを基端とする切り込みＣ５１ａ〜Ｃ５１ｅからなる風車状の切り込みパターンと、連結点Ｃ５２ｘを基端とする切り込みＣ５２ａ〜Ｃ５２ｅからなる風車状の切り込みパターンの一部を示した。また、同様に、連結点Ｃ５３ｘを基端とする風車状の切り込みパターンの一部と、連結点Ｃ５４ｘを基端とする風車状の切り込みパターンと、連結点Ｃ５５ｘを基端とする風車状の切り込みパターンの一部を示した。
【００８３】
連結点Ｃ５１ｘを基端とする切り込みＣ５１ａ〜Ｃ５１ｅからなる風車状の切り込みパターンにおいて、切り込みＣ５１ａと切り込みＣ５１ｂとがなす角度は７５°であり、切り込みＣ５１ｂと切り込みＣ５１ｃとがなす角度は６０°であり、切り込みＣ５１ｃと切り込みＣ５１ｄとがなす角度、切り込みＣ５１ｄと切り込みＣ５１ｅとがなす角度、切り込みＣ５１ｅと切り込みＣ５１ａとがなす角度は、各々７５°である。
また、切り込みＣ５１ａと切り込みＣ５１ｄの先端は反時計方向に９０°の角度で折れ曲がっており、切り込みＣ５１ｂ、Ｃ５１ｃ、Ｃ５１ｅの先端は反時計方向に６０°の角度で折れ曲がっている。他の連結点を基端とする風車状の切り込みパターンは、この連結点Ｃ５１ｘを基端とする風車状の切り込みパターンを回転させたパターンとなっている。
【００８４】
図１１に示すように、各風車状の切り込みパターンは、各風車状の切り込みパターンにおける１つの切り込みが、他の風車状の切り込みパターンにおける一対の切り込みの間に挿入されるように配置されている。例えば、切り込みＣ５１ｄは、連結点Ｃ５２ｘを基端とする切り込みパターンの切り込み５２ｂと切り込み５２ｃの間に挿入されている。
【００８５】
そして、各風車状の切り込みパターンにおける切り込みの、折れ曲がった先端で囲まれる部分が本実施形態の分岐部Ｐとなっている。図１１には、分岐部Ｐ５０と、分岐部Ｐ５０を取り囲む分岐部Ｐ５１〜Ｐ５４と、分岐部Ｐ５４を分岐部Ｐ５０と共に取り囲む分岐部Ｐ５５と分岐部Ｐ５６を示した。
【００８６】
本実施形態の分岐部Ｐは、１つの分岐部Ｐの周囲を他の４つの分岐部Ｐが囲み、その４つの分岐部Ｐの各々を、３つの分岐部Ｐが囲むような関係で二次元的に配置されている。
なお、本実施形態の分岐部Ｐも、図示した点状の分岐部Ｐを中心とする円状の分岐部Ｐ（図示は省略）として捉えてもよい。
【００８７】
分岐部Ｐ５０と分岐部Ｐ５１との間は、切り込みＣによって形成された迂回路Ｒ５１により連結されている。切り込みＣ５２ｃと切り込みＣ５１ｄの間、切り込みＣ５１ｄと切り込みＣ５２ｂの間、切り込みＣ５２ｂと切り込みＣ５１ｅの間が迂回路Ｒ５１となっている。
分岐部Ｐ５０と分岐部Ｐ５１との間の直線経路は、切り込みＣ５１ｄと切り込みＣ５２ｂにより切断されている。そのため、迂回路Ｒ５１を経由する最短経路Ｓ５１は、これらの切り込みの先端を経由する経路となっている。
【００８８】
同様にして、分岐部Ｐ５０と分岐部Ｐ５２との間の迂回路Ｒ５２を経由する最短経路Ｓ５２、分岐部Ｐ５０と分岐部Ｐ５３との間の迂回路Ｒ５３を経由する最短経路Ｓ５３、分岐部Ｐ５０と分岐部Ｐ５４との間の迂回路Ｒ５４を経由する最短経路Ｓ５４が形成されている。
また、分岐部Ｐ５４と分岐部Ｐ５５との間の迂回路Ｒ５５を経由する最短経路Ｓ５５、分岐部Ｐ５４と分岐部Ｐ５６との間の迂回路Ｒ５６を経由する最短経路Ｓ５６が形成されている。なお、分岐部Ｐ５４と分岐部Ｐ５５との間は、上述の他の分岐部間と最短距離が異なり、また、直線距離も異なっている。
【００８９】
迂回路Ｒ５１と迂回路Ｒ５２との間は、切り込みＣ５２ｃにより切断されて離間可能となっている。迂回路Ｒ５１と迂回路Ｒ５４との間は、切り込みＣ５１ｄにより切断されて離間可能となっている。迂回路Ｒ５４と迂回路Ｒ５５との間は、切り込みＣ５１ｃにより切断されて離間可能となっている。同様に、他の隣接する迂回路Ｒの間も切り込みＣにより切断されて離間可能となっている。
分岐部Ｐ５０に対して迂回路により直接連結されている分岐部は、分岐部Ｐ５１〜Ｐ５４の４つであり、条件αを満たしている。また、分岐部Ｐ５４に対して迂回路により直接連結されている分岐部は、分岐部Ｐ５０、Ｐ５５、及びＰ５６の３つであり、条件αを満たしている。図１１における他の分岐部Ｐも条件αを満たしている。
【００９０】
これらの分岐部同士を直接連結する迂回路で結んでいくと、五角形状の環を形成することができる。具体的には、図１０に示すような環Ｎ５１、Ｎ５２、Ｎ５３のような環を連結して形成できる。全体としては、各五角形状の環を網の目とする網を形成するように分岐部Ｐが配置されている。
そのため、本実施形態の伸張シートは、伸張可能な網として機能させることができる。
【００９１】
［第６実施形態の伸張シート］
図１２は、本発明の第６実施形態に係る伸張シート６である。伸張シート６は、平坦な基材６ａに切り込みＣが複数形成されている。また、切り込みＣによって、二次元的に配置された複数の迂回路Ｒと分岐部Ｐが形成されている。また、基材６ａの周縁部は、枠部Ｆとされ、当該枠部の内側に切り込みＣが形成されている。なお、第６実施形態は、枠部Ｆのない態様に変更してもよい。
【００９２】
図１３は、伸張シート６の一部拡大図である。図１３に基づき、第６実施形態における切り込みＣと、切り込みＣによって形成されている迂回路Ｒと分岐部Ｐについて説明する。
本実施形態では逆Ｚの両端側が円弧状に延びた切り込みＣが複数形成されている。
図１３に示すように、切り込みＣ６１〜Ｃ６４の４つの切り込みＣが、各円弧状に延びた一端側が渦巻き状になるように、９０°ずつ角度を変えて形成されている。また、これらの切り込みＣ６１〜Ｃ６４の中央と交差する切り込みＣ６５〜Ｃ６８が形成されている。
【００９３】
切り込みＣ６５は切り込みＣ６１と、連列点Ｃ６１ｘにおいて９０°の角度で交差している。切り込みＣ６６は切り込みＣ６２と、連列点Ｃ６２ｘにおいて９０°の角度で交差している。切り込みＣ６７は切り込みＣ６３と、連列点Ｃ６３ｘにおいて９０°の角度で交差している。切り込みＣ６８は切り込みＣ６４と、連列点Ｃ６４ｘにおいて９０°の角度で交差している。
【００９４】
そして、４つの切り込みＣの各円弧状に延びた一端側が渦巻き状に組み合わされた内側が、本実施形態の分岐部Ｐとなっている。図１３には、分岐部Ｐ６０と、分岐部Ｐ６０の上下左右に形成された分岐部Ｐ６１〜Ｐ６４と、分岐部Ｐ６０の４つの斜め方向に形成された分岐部Ｐ６５〜Ｐ６８を示した。
本実施形態の分岐部Ｐは、縦横格子の交点に位置するような関係で二次元的に配置されている。なお、本実施形態の分岐部Ｐも、図示した点状の分岐部Ｐを中心とする円状の分岐部Ｐ（図示は省略）として捉えてもよい。
【００９５】
分岐部Ｐ６０と分岐部Ｐ６１との間は、切り込みＣによって形成された迂回路Ｒ６１により連結されている。切り込みＣ６４と切り込みＣ６１の間、切り込みＣ６４と切り込みＣ６５の間、切り込みＣ６８と切り込みＣ６５の間が迂回路Ｒ６１となっている。
分岐部Ｐ６０と分岐部Ｐ６１との間の直線経路は、切り込みＣ６３、Ｃ６４、Ｃ６５、及び分岐部Ｐ６１の周りに渦巻きを形成する他の切り込みにより切断されている。そのため、迂回路Ｒ６１を経由する最短経路Ｓ６１は、切り込みＣ６４と切り込みＣ６５の各々に沿う経路とこれら双方に対する接線とを経由する経路となっている。
【００９６】
同様にして、分岐部Ｐ６０と分岐部Ｐ６２との間の迂回路Ｒ６２を経由する最短経路Ｓ６２、分岐部Ｐ６０と分岐部Ｐ６３との間の迂回路Ｒ６３を経由する最短経路Ｓ６３、分岐部Ｐ６０と分岐部Ｐ６４との間の迂回路Ｒ６４を経由する最短経路Ｓ６４が形成されている。
【００９７】
迂回路Ｒ６１と迂回路Ｒ６２との間は、切り込みＣ６１により切断されて離間可能となっている。迂回路Ｒ６２と迂回路Ｒ６３との間は、切り込みＣ６２により切断されて離間可能となっている。迂回路Ｒ６３と迂回路Ｒ６４との間は、切り込みＣ６３により切断されて離間可能となっている。迂回路Ｒ６４と迂回路Ｒ６１との間は、切り込みＣ６４により切断されて離間可能となっている。同様に、他の隣接する迂回路Ｒの間も切り込みＣにより切断されて離間可能となっている。
分岐部Ｐ６０に対して迂回路により直接連結されている分岐部は、分岐部Ｐ６１〜Ｐ６４の４つであり、条件αを満たしている。図１３における他の分岐部Ｐも条件αを満たしている。
【００９８】
これらの分岐部同士を直接連結する迂回路で結んでいくと、四角形状の環を形成することができる。具体的には、分岐部Ｐ６０、分岐部Ｐ６１、分岐部Ｐ６６、及び分岐部Ｐ６２からなる環が形成できる。また、分岐部Ｐ６０、分岐部Ｐ６２、分岐部Ｐ６７、及び分岐部Ｐ６３からなる環が形成できる。この二つの環は、分岐部Ｐ６０と分岐部Ｐ６２との間で重なり連結されている。
そのため、本実施形態の伸張シートは、伸張可能な網として機能させることができる。
【００９９】
［第７実施形態の伸張シート］
図１４は、本発明の第７実施形態に係る伸張シートの一部拡大図である。本実施形態では、１つの伸張シート内に、分岐部Ｐ間の最大の伸び率（基材の厚さを無視すれば、最短距離／直線距離に等しい。）が異なる部分が混在している。
図１４において、分岐部Ｐ７１と分岐部Ｐ７２の間の直線形路を切断する切り込みＣ７１ａ〜Ｃ７１ｃは、各々分岐部Ｐ７２と分岐部Ｐ７３の間の直線形路を切断する切り込みＣ７２ａ〜Ｃ７２ｃより長い。また、分岐部Ｐ７３と分岐部Ｐ７４の間の直線形路を切断する切り込みＣ７３ａ〜Ｃ７３ｃは、各々切り込みＣ７２ａ〜Ｃ７２ｃより短い。
【０１００】
そのため、分岐部Ｐ７１と分岐部Ｐ７２の間の迂回路Ｒを経由する最短経路Ｓ７１ａ、Ｓ７１ｂは、分岐部Ｐ７２と分岐部Ｐ７３の間の迂回路Ｒを経由する最短経路Ｓ７２ａ、Ｓ７２ｂより長い。また、分岐部Ｐ７３と分岐部Ｐ７３の間の迂回路Ｒを経由する最短経路Ｓ７３ａ、Ｓ７３ｂが最も短い。
その結果、最大の伸び率は、分岐部Ｐ７１と分岐部Ｐ７２の間が最も大きくなり、分岐部Ｐ７３と分岐部Ｐ７４の間が最も小さくなる。
このように、類似の切り込みパターンであってもその長さを調整することにより、伸び率を調整することができる。
１つの伸張シート内における分岐部Ｐ間の最大の伸び率が均一な場合にも、切り込みの長さを調整することにより伸び率の調整が可能である。
【０１０１】
［第８実施形態の伸張シート］
図１５は、本発明の第８実施形態に係る伸張シートの一部拡大図である。本実施形態では、切り込みの一部が楕円状とされている。
図１５に示すように、９０°の角度で交差する切り込みＣ８１ａと切り込みＣ８１ｂが形成されている。また、切り込みＣ８１ａと切り込みＣ８１ｂの各々の両端には、一対の短い切り込みＣ８１ｃと切り込みＣ８１ｄが、各々接続されている。また、切り込みＣ８１ａと切り込みＣ８１ｂの各々の交差点の間には、楕円状の切り込みＣ８１ｅが設けられている。
そして四対の切り込みＣ８１ｃと切り込みＣ８１ｄに囲まれる４角形の領域内に分岐部Ｐが形成されている。
【０１０２】
図１５に示すように、分岐部Ｐ８１ａと分岐部Ｐ８１ｂとの間の直線形路は、切り込みＣ８１ｅにより切断されている。
分岐部Ｐ８１ａと分岐部Ｐ８１ｂとの間の迂回路Ｒを経由する最短経路Ｓ８１ａと最短経路Ｓ８１ｂは、切り込みＣ８１ｃと切り込みＣ８１ｄの各々の先端を通る切り込みＣ８１ｅの接線と、切り込みＣ８１ｅの周縁を経由する経路となっている。
【０１０３】
［第９実施形態の伸張シート］
図１６は、本発明の第９実施形態に係る伸張シートの一部拡大図である。本実施形態では、分岐部Ｐ内に円形の切り込みが形成されている。
図１６に示すように、９０°の角度で交差する切り込みＣ８２ａと切り込みＣ８２ｂが形成されている。また、切り込みＣ８２ａと切り込みＣ８２ｂの各々の両端には、一対の短い切り込みＣ８２ｃと切り込みＣ８２ｄが、各々接続されている。また、切り込みＣ８２ａと切り込みＣ８２ｂの各々の交差点の間には、切り込みＣ８２ｅが設けられている。また、四対の切り込みＣ８２ｃと切り込みＣ８２ｄに囲まれる４角形の領域内に円形の切り込みＣ８２ｆが形成されている。
【０１０４】
本実施形態の分岐部Ｐは、分岐部Ｐ８２ａ、Ｐ８２ｂのように、切り込みＣ８２ｆの周縁に沿った円形の領域として捉えてもよいし、分岐部Ｐ８２ｃ、分岐部Ｐ８２ｄのように、四対の切り込みＣ８２ｃと切り込みＣ８２ｄに囲まれる４角形の領域として捉えてもよい。
前者の場合の最短経路Ｓ８２ａとＳ８２ｂは前記円形の領域を起点とし、後者の場合の最短経路Ｓ８２ｃとＳ８２ｄは前記四角形の領域を起点する。
【０１０５】
［第１０実施形態の伸張シート］
図１７は、本発明の第１０実施形態に係る伸張シートの一部拡大図である。本実施形態では、分岐部内に十文字の切り込みが形成されている。
図１７に示すように、９０°の角度で交差する切り込みＣ８３ａと切り込みＣ８３ｂが複数形成されている。また、各々の切り込みＣ８３ａと切り込みＣ８３ｂの各々の両端には、一対の屈曲した短い切り込みＣ８３ｃと切り込みＣ８３ｄが、各々接続されている。また、切り込みＣ８３ａと切り込みＣ８３ｂの各々の交差点の間には、切り込みＣ８３ｅが設けられている。また、四対の切り込みＣ８２ｃと切り込みＣ８２ｄに囲まれる略十文字状の領域内に、切り込みＣ８３ａと平行な方向に切り込みＣ８３ｆが、切り込みＣ８３ｂに平行な方向に切り込みＣ８３ｇが形成されている。切り込みＣ８３ｆと切り込みＣ８３ｇは交差している。
【０１０６】
本実施形態の分岐部Ｐは、分岐部Ｐ８３ａ、Ｐ８３ｂのように、四対の切り込みＣ８３ｃと切り込みＣ８３ｄに囲まれる略十文字状の領域として捉えることができる。最短経路Ｓ８３ａとＳ８３ｂは前記略十文字状の領域を起点する。
本実施形態では、分岐部Ｐ内に形成された切り込みの存在により、分岐部Ｐ自体も伸張することができる。
【０１０７】
＜伸張シートの用途＞
以下、本発明の伸張シートの使用態様について説明する。なお、以下の説明では、第１実施形態の伸張シートを用いた態様について説明したが、第１実施形態の伸張シートに代えて、他の実施形態の伸張シートや、その他の本発明に係る伸張シートに変更できることはもちろんである。
【０１０８】
また、以下の説明では伸張シートを１枚だけで使用する態様について説明したが、各々複数枚の伸張シートを重ねて使用してもよい。その場合の枚数に特に限定はないが、例えば２〜２０枚とすることができる。重ねる場合、それぞれの切り込みのパターンが、完全に重ならないようにずらして重ねると、使用時に互いに絡み合い、形状を固定しやすくなるので好ましい。重ねる場合、各シートの切り込みのパターンは、同一であっても異なっていてもよい。
【０１０９】
［収納容器］
図１８は、本発明の実施形態に係る収納容器１０の斜視図である。収納容器１０は、６つの矩形状の基板で直方体状の空洞を囲む容器であり、その１つの基板が、第１実施形態の伸張シート１Ａで構成されている。
伸張シート１Ａは、押圧により切り込みＣが開く。例えばその中央部分を外側から押圧すると、図１９に示すように、枠部Ｆに近い切り込みＣａの幅はあまり開かないが、切り込みＣｂ、切り込みＣｃと内側に行くに従い大きく幅が開く。その結果、図２０に示すように、伸張シート１Ａは、当初の空洞の内側に向けて撓む。さらに押圧を強めると、図２１に示すように、切り込みＣの幅はさらに開く。
【０１１０】
図２２は、収納容器１０にブドウ１１を載せて収納した状態を示すイメージ図である。ブドウのように凹凸のある包装対象物を伸張シート１Ａに載せると、その凹凸に応じて切り込みＣの幅が開き、凸部分ほど当初の空洞の内側に向けて撓む。
したがって、本実施形態の収納容器１０によれば、様々な形態の包装対象物を、優れた圧力分散性で収納することができる。また、伸張シート１Ａは、１枚の基材から構成されているので、保管や廃棄時等の取り扱いが容易である。
収納容器１０に用いる伸張シート１Ａを構成する基材は、包装対象物等の使用目的に応じて適宜選択すればよい。例えば、包装対象物に対する負荷を少しでも減らすことを重視する場合には、柔軟性とクッション性のある基材を選択することができる。また、包装対象物が重量物である場合は、充分な強度を持たせることを優先して基材を選択することができる。
【０１１１】
包装対象物を収納容器１０の伸張シート１Ａからなる面に載せて収納した後は、その上側から、適宜の蓋材をかぶせてもよい。
収納容器１０の１面を構成する伸張シート１Ａには、包装対象物に応じて適宜の強度の基材を用いることができる。
なお、図２２の伸張シート１Ａは、図１８等と表裏が逆転したものである。
本発明の収納容器は、直方体状の空洞を囲む態様に限定されない。例えば円柱状の空洞を囲む態様であってもよい。その場合、一方の底面を画する円形の基板を、本発明の伸張シートで構成すればよい。
【０１１２】
［包装材］
図２３は、本発明の伸張シートを用いた包装材２０である。包装材２０は、第１実施形態の伸張シート１Ｂから構成されている。包装材２０に包装対象物を載せた後、包装対象物に沿うように包装材２０を伸張させると、包装対象物の形状に沿って変形する。そして、伸張させた包装材２０の二つの辺が出会うと、両辺の近傍の切り込みが絡み合いアンカー効果を発揮する。そのため、セロテープ（登録商標）、糊等の別途の固定手段を用いることなく、図２３に示すように、収納物を包装した状態で固定できる。
包装材２０に用いる伸張シート１Ｂを構成する基材は、包装対象物等の使用目的に応じて適宜選択すればよい。例えば、包装対象物に対する負荷を少しでも減らすことを重視する場合には、柔軟性とクッション性のある基材を選択することができる。また、アンカー効果を重視する場合には、アンカー効果を発揮しやすい程度の強度を持たせることを優先して基材を選択することができる。
【０１１３】
［たわし］
図２４は、本発明の伸張シートを用いた、たわし３０である。たわし３０は、第１実施形態の伸張シート１Ａから構成されている。周縁を一箇所に纏めるように伸張シート１Ａを丸めると、切り込みの切断面が表に露出して、たわしとして使用することができる。
たわし３０に用いる伸張シート１Ａを構成する基材は、洗浄対象物の材質等に応じて、適宜選択すればよい。例えば、洗浄対象物を傷つけないことを重視する場合は、柔らかい材質の基材を選択することができる。また、強い力での洗浄を求めたい場合は、剛性のある基材を選択することができる。また、耐水性を重視して基材を選択してもよいし、吸水性を重視して基材を選択してもよい。
【０１１４】
［収納ポーチ］
図２５は、本発明の伸張シートを用いた、収納ポーチ４０である。収納ポーチ４０は、第１実施形態の伸張シート１Ａの中央を図１の横方向に沿って折り曲げることにより構成されている。
図２５の辺４０ａが折り曲げた側ある。辺４０ｂ、４０ｃの側は、各々重ね合わされた枠部Ｆが接着されている。辺４０ｄの側は、各々重ね合わされた枠部Ｆが接着されることなく、環状に開ける開口部となっている。
【０１１５】
この辺４０ｄの開口部から、収納物を挿入すると、収納物の形状と大きさに合わせて切り込みが開き分岐部Ｐが伸張するので、収納物の収納が可能となる。
収納ポーチ４０に用いる伸張シート１Ａを構成する基材は、使用目的等に応じて、適宜選択すればよい。例えば、収納物の保護を重視する場合は、柔軟性とクッション性のある基材を選択できる。また、ファッション性を重視する場合は、意匠性に優れた基材を選択することができる。
辺４０ｄ側には、握り手をつけてもよい。また、ゴムやひもを通して辺４０ｄ側を絞り、巾着状のポーチとしてもよい。
【０１１６】
［他の用途］
本発明の伸張シートに、平坦な状態で絵柄を描くと、三次元的なモザイクパズルとして使用できる。すなわち、絵柄の描かれた伸張シートの切り込みをランダムに開くと、切り込みが複雑に絡み合い、これを元の絵柄に戻す作業を楽しむことができる。
また、枠部のない伸張シートを伸張させると、レース模様を生じさせることができるので、装飾シートとして使用することができる。
【符号の説明】
【０１１７】
１Ａ、１Ｂ、２、３、４、５、６、…伸張シート
１ａ、１ｂ、２ａ、３ａ、４ａ、５ａ、６ａ、…基材
Ｃ…切り込み
Ｐ…分岐部
Ｒ…迂回路
Ｆ…枠部
Ｎ…環
１０…収納容器
２０…包装材
３０…たわし
４０…収納ポーチ
【図１】
2019172379.tif 000003
【図２】
2019172379.tif 000004
【図３】
2019172379.tif 000005
【図４】
2019172379.tif 000006
【図５】
2019172379.tif 000007
【図６】
2019172379.tif 000008
【図７】
2019172379.tif 000009
【図８】
2019172379.tif 000010
【図９】
2019172379.tif 000011
【図１０】
2019172379.tif 000012
【図１１】
2019172379.tif 000013
【図１２】
2019172379.tif 000014
【図１３】
2019172379.tif 000015
【図１４】
2019172379.tif 000016
【図１５】
2019172379.tif 000017
【図１６】
2019172379.tif 000018
【図１７】
2019172379.tif 000019
【図１８】
2019172379.tif 000020
【図１９】
2019172379.tif 000021
【図２０】
2019172379.tif 000022
【図２１】
2019172379.tif 000023
【図２２】
2019172379.tif 000024
【図２３】
2019172379.tif 000025
【図２４】
2019172379.tif 000026
【図２５】
2019172379.tif 000027
【図２６】
2019172379.tif 000028